(57)【特許請求の範囲】
【請求項１】
組織採取部材が先端に取り付けられた可撓性チューブの先端近傍部分に、上記可撓性チューブを径方向に横断する複数対の切削溝を、各切削溝間に間隔をあけて個々の切削溝が上記可撓性チューブの周方向に順に偏位した状態に形成すると共に、上記可撓性チューブ内に軸線方向に進退自在に挿通配置された操作ワイヤを、上記複数対の各切削溝の間において上記可撓性チューブに出し入れして上記複数対の切削溝の間において上記可撓性チューブの外面に沿わせ、上記操作ワイヤの先端を上記切削溝より先側において上記可撓性チューブに対して固定したことを特徴とする内視鏡用湾曲付処置具。
【請求項２】
上記切削溝の断面形状が略Ｖ字状である請求項１記載の内視鏡用湾曲付処置具。
【発明の詳細な説明】
【０００１】
【発明の属する技術分野】
この発明は、体内粘膜表面から組織を採取するために内視鏡の処置具挿通チャンネルに挿脱される内視鏡用湾曲付処置具に関する。
【０００２】
【従来の技術】
体内粘膜表面から組織を採取するための内視鏡用処置具として、ブラシや鋭匙等のような組織採取部材を可撓性シースの先端に取り付けたものがある。
【０００３】
そして、組織採取を経内視鏡的に迅速かつ確実に行うことができるように、可撓性シースの先端近傍を手元側からの操作により屈曲自在にしたものがある（特開平５−１４２号）。
【０００４】
【発明が解決しようとする課題】
そのような従来の内視鏡用湾曲付処置具においては、例えば特開平５−１４２号公報に示されるように、複数箇所で支軸を中心に折れ曲がるリンク状部材を可撓性シースの先端に配置するという精密な構成をとっていて、操作ワイヤの進退動作によりリンク状部材を屈曲／伸展させるようになっている。
【０００５】
そのため、使用後の完全な洗浄が難しくて作動不良等も起こし易いのに加えて、非常にコスト高なものになるため、使い捨てし難くて不安定な状態で再使用されてしまう場合が少なくない。
【０００６】
そこで本発明は、シンプルな構造によって、使用後の洗浄が容易で故障が少なく、低コストで使い捨てにしても十分な経済性を有する内視鏡用湾曲付処置具を提供することを目的とする。
【０００７】
【課題を解決するための手段】
上記の目的を達成するため、本発明の内視鏡用湾曲付処置具は、組織採取部材が先端に取り付けられた可撓性チューブの先端近傍部分に、可撓性チューブを径方向に横断する一対の切削溝を間隔をあけて形成すると共に、可撓性チューブ内に軸線方向に進退自在に挿通配置された操作ワイヤを、一対の切削溝において可撓性チューブに出し入れして一対の切削溝の間において可撓性チューブの外面に沿わせ、操作ワイヤの先端を切削溝より先側において可撓性チューブに対して固定したものである。
【０００８】
なお、切削溝の断面形状が略Ｖ字状であると、各切削溝部分において可撓性チューブがスムーズに屈曲し易い。また、可撓性チューブの先端近傍部分に切削溝が複数対形成されていて、操作ワイヤが、各対の切削溝において可撓性チューブに出し入れされて各対の切削溝の間において可撓性チューブの外面に沿って配置されていてもよく、その場合に、複数対の切削溝が可撓性チューブの周方向に順に偏位して形成されていれば、可撓性チューブの先端部分を立体的に屈曲させることができる。
【０００９】
【発明の実施の形態】
図面を参照して本発明の実施例を説明する。
図１は、本発明を内視鏡用鋭匙に適用した第１の実施例の内視鏡用湾曲付処置具の先端部分を示している。
【００１０】
１は、図示されていない内視鏡の処置具挿通チャンネルに挿脱される可撓性チューブであり、その先端には、縁部に刃が形成されたスプーン状の組織採取部材である鋭匙２が連結固定されている。
【００１１】
可撓性チューブ１としては、四フッ化エチレン樹脂チューブ又はポリエチレン樹脂チューブ等を用いることができ、外径が１．５〜２．５ｍｍ程度で長さが１〜２ｍ程度のものが用いられる。
【００１２】
可撓性チューブ１の先端近傍部分には、可撓性チューブ１の軸線方向に対して略垂直向きの略Ｖ字状の断面形状の一対の切削溝３ａ，３ｂが、軸線方向に間隔をあけて形成されている。この実施例においては、一対の切削溝３ａ，３ｂはいずれも鋭匙２の組織採取面２ａの後方位置に形成されている。
【００１３】
可撓性チューブ１内には、例えばステンレス鋼製撚り線によって形成された操作ワイヤ４が、軸線方向に進退自在に全長にわたって挿通配置されていて、図１において右方の基端側（即ち、手元側）から任意に進退操作することができる。
【００１４】
操作ワイヤ４の先端４ａは、ロー付け等によって鋭匙２に固着されており、それによって、操作ワイヤ４の先端４ａが可撓性チューブ１の先端部分に対して固定された状態になっている。ただし、操作ワイヤ４の先端４ａを可撓性チューブ１の先端に直接固定しても差し支えない。
【００１５】
可撓性チューブ１は、各切削溝３ａ，３ｂを通って可撓性チューブ１に出し入れされていて、一対の切削溝３ａ，３ｂの間においてのみ、可撓性チューブ１の外面に沿う状態に配置されている。
【００１６】
したがって、操作ワイヤ４を手元側から牽引操作すると、図２に示されるように、可撓性チューブ１の先端部分が一対の切削溝３ａ，３ｂにおいて各々鋭匙２の組織採取面２ａ側に屈曲する。
【００１７】
そして、操作ワイヤ４を手元側から可撓性チューブ１内に押し込み操作すれば、可撓性チューブ１の先端部分が元の真っ直ぐな状態に戻り、その状態からさらに操作ワイヤ４を押し込めば、図３に示されるように、可撓性チューブ１の先端部分が一対の切削溝３ａ，３ｂにおいて各々鋭匙２の組織採取面２ａの裏側方向に屈曲する。
【００１８】
このようにして、上記実施例の内視鏡用湾曲付処置具は、リンク状部材等を用いることなく、可撓性チューブ１に一対の切削溝３ａ，３ｂを形成するだけの簡単な構成により可撓性チューブ１の先端部分を屈曲させることができる。
【００１９】
図４は、本発明の第２の実施例の内視鏡用湾曲付処置具の先端部分を示しており、第１の実施例と同様の切削溝３ａ，３ｂを複数対設け、操作ワイヤ４を各対の切削溝３ａ，３ｂにおいて可撓性チューブ１に出し入れして、各対の切削溝３ａ，３ｂの間において可撓性チューブ１の外面に沿って配置したものである。このように構成することによって、可撓性チューブ１の先端近傍部分を大きく滑らかに屈曲させることができる。
【００２０】
図５は、本発明の第３の実施例の内視鏡用湾曲付処置具の先端部を示しており、可撓性チューブ１の先端には、組織採取部材としてブラシ１２が取り付けられている。また、複数対の切削溝３ａ，３ｂが、可撓性チューブ１の周方向に順に位置をずらして形成されている。
【００２１】
したがって、操作ワイヤ４が手元側に牽引されると、図６に示されるように、可撓性チューブ１の先端部分付近が、可撓性チューブ１の所定の方向に対して捩じれた方向に立体的に屈曲するので、例えば深部気管支等のように立体的に曲がった形状の管腔臓器内にスムーズに挿入することができる。なお、図６においては操作ワイヤ４の図示は省略されている。
【００２２】
【発明の効果】
本発明によれば、リンク状部材等を用いることなく、操作ワイヤを通した可撓性チューブの先端近傍部分に切削溝を形成しただけの極めて簡単な構成により、可撓性チューブの先端部分を任意に屈曲させることができるので、使用後の洗浄が容易で故障が少なく、しかも低コストで製造することができるので使い捨てにしても十分な経済性を有することができる。
【図面の簡単な説明】
【図１】本発明の第１の実施例の内視鏡用湾曲付処置具の先端部分の側面断面図である。
【図２】本発明の第１の実施例の内視鏡用湾曲付処置具の先端部分が屈曲した状態の側面断面図である。
【図３】本発明の第１の実施例の内視鏡用湾曲付処置具の先端部分が逆側に屈曲した状態の側面断面図である。
【図４】本発明の第２の実施例の内視鏡用湾曲付処置具の先端部分の側面断面図である。
【図５】本発明の第３の実施例の内視鏡用湾曲付処置具の先端部分の平面図である。
【図６】本発明の第３の実施例の内視鏡用湾曲付処置具の先端部分が屈曲した状態の斜視図である。
【符号の説明】
１  可撓性チューブ
２  鋭匙（組織採取部材）
３ａ，３ｂ  切削溝
４  操作ワイヤ
１２  ブラシ（組織採取部材）
【図１】
0003934354.tif 000002
【図２】
0003934354.tif 000003
【図３】
0003934354.tif 000004
【図４】
0003934354.tif 000005
【図５】
0003934354.tif 000006
【図６】
0003934354.tif 000007